(57)【要約】【課題】圧縮機室部前板の着脱が容易な空気調和機の室外ユニットを提供する。【解決手段】圧縮機（図示せず）を内蔵した圧縮機室６と、送風機（図示せず）を有する外箱１ａを備え、外箱１ａは、天面に配された天板３と、吹き出し口４を設けた吹き出し口部前板５と、両側端部に複数の係止爪１０を有すると共に、圧縮機室６の前部を覆う圧縮機室部前板８と、圧縮機室６の側面部を覆う側板９から構成され、吹き出し口部前板５と側板９の端部に係止爪１０に係合する係合穴１１をそれぞれ複数設け、係止爪１０を略Ｖ字状に折り返した形状としたもので、圧縮機室部前板８を取り付ける際に係止爪１０が係合穴１１から外れても、ネジ１３で圧縮機室部前板８を吹き出し口部前板５および側板９に締結した後、係止爪１０を押し込むだけで、係止爪１０が係合穴１１に係合し圧縮機室部前板８が保持されるため、圧縮機室部前板８の取り付けが容易になる。【選択図】図１
2009144956.tif 000002
【特許請求の範囲】
【請求項１】
圧縮機を内蔵した圧縮機室と、送風機を有する外箱を備え、前記外箱は、天面に配された天板と、前記送風機の風を吹き出す吹き出し口を設けた吹き出し口部前板と、前記圧縮機室の前部を覆う圧縮機室部前板と、前記圧縮機室の側面部を覆う側板から構成され、前記圧縮機室部前板の両側端部に係止爪を複数設け、前記吹き出し口部前板および前記側板の端部に前記係止爪に係合する係合穴をそれぞれ複数設け、前記係止爪を略Ｖ字状に折り返した形状としたことを特徴とする空気調和機の室外ユニット。
【請求項２】
係合穴の開口形状を、係止爪の略Ｖ字状に折り返した部分の幅より小さい上部開口部と、前記幅より大きい下部開口部を組み合わせた略Ｌ字状としたことを特徴とする請求項１に記載の空気調和機の室外ユニット。
【発明の詳細な説明】
【技術分野】
【０００１】
本発明は、空気調和機の室外ユニットに関するもので、特に、室外ユニットの外郭を形成する外箱構成に関するものである。
【背景技術】
【０００２】
大能力タイプの空気調和機の室外ユニットや、パッケージエアコンの室外ユニットでは、室外ユニットの横連続設置対応により、一般のルームエアコンでは、外装部から突出している配管接続部が、ユニット内部に収納されているので、設置時の配管接続作業、冷媒追加充填作業また設置状態に応じて、室外ユニット制御基板に設けられた種々の設定スイッチの操作を行うには、圧縮機室また圧縮機室の上部に設けられ制御基板を収納する電装部品室とを覆う圧縮機室部前板を外して作業を行うことが必要となっている。そのため圧縮機室部前板は、数本のネジを緩めることで簡単に取り外せる構成となっている。
【０００３】
以下に、従来の空気調和機の室外ユニットの外箱の構成を図７〜９を用いて説明する。図７は、従来の空気調和機の室外ユニットの展開斜視図、図８（ａ）は、図７のＤ、Ｅ部の横断面図、（ｂ）は、図７のＤ、Ｅ部の正面図である。
【０００４】
図７において、空気調和機の室外ユニット９０の外箱９０ａは、ユニットベース１００、天面部を覆う天板１０１、前面部を覆うと共に、送風機（図示せず）からの風を吹き出す吹き出し口１０２ａを設けた吹き出し口部前板１０２、圧縮機１０６を内蔵する圧縮機室１０６ａと制御基板（図示せず）を収納する電装部品室１０４とを覆う断面略Ｌ字状の圧縮機室部前板１０３、右側面を覆う側板１０５ａ、１０５ｂから構成されている。圧縮機室部前板１０３は、前面側１０３ａと右側面側１０３ｂとで形成され、さらに圧縮機室部前板１０３の上端及び下端はそれぞれネジ１０３ｄで、天板１０１とユニットベース１００に締結されている。
【０００５】
図８は、図７における圧縮機室部前板１０３の右側面側１０３ｂのＤ部と側板１０５ｂのＥ部を拡大した詳細図である。
【０００６】
図８に示すように、圧縮機室部前板１０３の右側面側１０３ｂ及び左側端部１０３ｃの各鉛直部には略Ｌ字状の係止爪１１０が、またこの係止爪１１０に対応して、吹き出し口部前板１０２および側板１０５ｂの鉛直端部に角形状の係合穴１１１がそれぞれ複数個設けられている。
【０００７】
圧縮機室部前板１０３が、室外ユニット９０の手前方向に外せるようするために、係止爪１１０は、両端側ともに、室外ユニット９０の奥行き方向に突出して形成されており、対応する係合穴１１１は、係止爪１１０に直交するように開口している。
【０００８】
以上のように、圧縮機室部前板１０３は、圧縮機室部前板１０３の右側面側１０３ｂ、左側端部１０３ｃに設けられた複数個の係止爪１１０と係合穴１１１との係合作用で取りつけられた後、上方にスライドされ、さらに上端、下端をそれぞれ１本のネジ１０３ｄで締結するだけで吹き出し口部前板１０２、側板１０５ａ、１０５ｂに固着できるため、多くのネジを使用する必要がなく、組立時の作業工数を低減できると共にネジ本数が少ないので見栄えもよい（例えば、特許文献１及び２参照）。
【０００９】
図９は、他の従来の空気調和機の室外ユニットを示すもので、図８に示された室外ユニットとほぼ同様な外箱構成となっているが、図９に示されるように、圧縮機室部前板の部
分と右側の側板部分とが一体に形成され、しかも右側の側板は１枚で形成され合わせ目が省略されている（例えば、特許文献３参照）。
【特許文献１】特開平６−１２３４４６号公報
【特許文献２】実開平５−６９５３５号公報
【特許文献３】特開平９−１９３９８９号公報
【発明の開示】
【発明が解決しようとする課題】
【００１０】
しかしながら上記従来の空気調和機の室外ユニットの外箱構成では、設置時に圧縮機室部前板１０３を開けての作業、例えば、室外ユニット９０と室内ユニット（図示せず）をつなぐ際の冷媒配管接続、冷媒の追加充填や電線接続などの圧縮機室部前板１０３を取り外したり、再度室外ユニット９０に取り付ける際に以下のような課題があった。
【００１１】
圧縮機室部前板１０３は、大きな表面積を持ち、またその断面形状が略Ｌ字形状となっているためどうしても前面側１０３ａと右側面側１０３ｂとでヒネリが生じる。このヒネリはコストを掛けて金型の面数を増やすことである程度の改善は可能であるが完全でなく若干のヒネリは残る。
【００１２】
このヒネリが生じた圧縮機室部前板１０３のユニット本体への再取り付け時に、例えば、先に側板１０５ｂの複数の係合穴１１１に、圧縮機室部前板１０３の右側端部の係止爪１１０を挿入し（この状態では、圧縮機室部前板１０３を上部にスライドしていないため係合状態でない）、次に吹き出し口部前板１０２の複数の係合穴１１１に、圧縮機室部前板１０３の左側端部の係止爪１１０を挿入しようとすると、先ほど挿入した圧縮機室部前板１０３の右側端部の係止爪１１０の一部が、挿入した係合穴１１１から外れてしまうことがある。そこで次に、右側端部に注意して再取り付けした時には、逆に左側端部で、係止爪１１０が係合穴１１１から外れてしまうことがある。
【００１３】
大規模設置工事など多人数で作業をしている場合には、一人が、右側端部の挿入部（まだ係合されていない）を押さえ、もう一人が左側端部の挿入部を押さえて二人同時に圧縮機室部前板１０３を、上方にスライドすれば係合されるので再取り付けが可能であり問題はない。しかし一人で設置作業する場合、また多くの場合一人で作業するサーネジ時などでは、圧縮機室部前板１０３の再取り付けが簡単でなく、多くの時間を費やし、さらに注意不足の場合には、確実な係合状態でなく一部の係合部が外れた状態で作業を終了してしまい、後日圧縮機室１０６ａや電装部品室１０４への雨水浸入などで問題を起こすなどの課題があった。
【００１４】
本発明は、上記従来の課題を解決するもので、作業工数や多大なコストを費やすことなく、また見栄えの悪化もなく、一人での作業でも確実に圧縮機室部前板の再取り付けが可能な空気調和機の室外ユニットを提供することを目的とするものである。
【課題を解決するための手段】
【００１５】
上記従来の課題を解決するために、本発明の空気調和機の室外ユニットは、圧縮機を内蔵した圧縮機室と、送風機を有する外箱を備え、前記外箱は、天面に配された天板と、前記送風機の風を吹き出す吹き出し口を設けた吹き出し口部前板と、前記圧縮機室の前部を覆う圧縮機室部前板と、前記圧縮機室の側面部を覆う側板から構成され、前記圧縮機室部前板の両側端部に係止爪を複数設け、前記吹き出し口部前板および前記側板の端部に前記係止爪に係合する係合穴をそれぞれ複数設け、前記係止爪を略Ｖ字状に折り返した形状としたもので、前記圧縮機室部前板の取り付けの際は、係止爪を係合穴に挿入した後、前記圧縮機室部前板をスライドして上端と下端をネジで締結するが、スライド時に、係止爪が係合穴から外れた場合でも、ネジで、前記圧縮機室部前板を前記吹き出し口部前板および
前記側板に締結した後で、前記係止爪を押し込むことにより係止爪と係合穴が係合して圧縮機室部前板が保持されるため、作業時に係止爪が係合穴より外れないように注意する必要がなく、係合部が外れた状態で作業を終了することもないため、圧縮機室部前板の取り付けが容易で、また確実な圧縮機室部前板の取り付けが可能となる。
【発明の効果】
【００１６】
本発明の空気調和機の室外ユニットは、安価な構成で、見栄えを悪くすることもなく、一人で確実に、しかも簡単に圧縮機室部前板の取り付けができるので、作業効率が非常に良いものである。
【発明を実施するための最良の形態】
【００１７】
第１の発明は、圧縮機を内蔵した圧縮機室と、送風機を有する外箱を備え、前記外箱は、天面に配された天板と、前記送風機の風を吹き出す吹き出し口を設けた吹き出し口部前板と、前記圧縮機室の前部を覆う圧縮機室部前板と、前記圧縮機室の側面部を覆う側板から構成され、前記圧縮機室部前板の両側端部に係止爪を複数設け、前記吹き出し口部前板および前記側板の端部に前記係止爪に係合する係合穴をそれぞれ複数設け、前記係止爪を略Ｖ字状に折り返した形状としたもので、前記圧縮機室部前板の取り付けの際は、係止爪を係合穴に挿入した後、前記圧縮機室部前板をスライドして上端と下端をネジで締結するが、スライド時に、係止爪が係合穴から外れた場合でも、ネジで、前記圧縮機室部前板を前記吹き出し口部前板および前記側板に締結した後で、前記係止爪を押し込むことにより係止爪と係合穴が係合して圧縮機室部前板が保持されるため、作業時に係止爪が係合穴より外れないように注意する必要がなく、係合部が外れた状態で作業を終了することもないため、圧縮機室部前板の取り付けが容易で、また確実な圧縮機室部前板の取り付けが可能となる。
【００１８】
第２の発明は、特に、第１の発明の係合穴の開口形状を、係止爪の略Ｖ字状に折り返した部分の幅より小さい上部開口部と、前記幅より大きい下部開口部を組み合わせた略Ｌ字状としたもので、係合穴に係止した圧縮機室部前板を取り外す際は、圧縮機室部前板の上端と下端のネジを外して、下方へスライドしたときに、係合爪が係合穴の下部開口部から簡単に外れるため、圧縮機室部前板を係合穴からわざわざ外そうとする必要がなく、作業性が向上する。
【００１９】
以下、本発明の実施の形態について、図面を参照しながら説明する。なお、この実施の形態によって本発明が限定されるものではない。
【００２０】
（実施の形態１）
図１は、本発明の第１の実施の形態における空気調和機の室外ユニットの外箱構成を示す分解斜視図で、図２は、同室外ユニットの圧縮機室部前板の取り付け部の構成を示す部分斜視図、図３は、同室外ユニットの係止爪と係合穴が係合した状態を示す断面図、図４は、同室外ユニットの係止爪と係合穴が外れた状態を示す断面図である。
【００２１】
図１〜図４において、本実施の形態における空気調和機の室外ユニット１の外箱１ａは、底部を形成するユニットベース２と、天面部を覆う天板３と、前面部を覆うとともに内蔵された送風機（図示せず）による風を吹き出す吹き出し口４を有する吹き出し口部前板５と、圧縮機（図示せず）を内蔵する圧縮機室６や、制御基板（図示せず）を収納する電装部品室７の前部を覆う圧縮機室部前板８と、圧縮機室６や電装部品室７の右側面を覆う側板９から構成されている。
【００２２】
圧縮機室部前板８は、前面に位置する前面部８ａと、右側部８ｂとで断面略Ｌ字状に形成されている。
【００２３】
圧縮機室部前板８の左端部８ｃと右側部８ｂの端部のそれぞれに、後方に突出し、先端を略Ｖ字状に折り返した係止爪１０が複数個設けられ、吹き出し口部前板５および側板９のそれぞれの端部の前記係止爪１０に対応する位置に、前記係止爪１０に係合する角形状の係合穴１１が設けられている。
【００２４】
圧縮機室部前板８の室外ユニット１への取り付けは、圧縮機室部前板８の係止爪１０を吹出し口部前板５と側板９に設けた係合穴１１に挿入する。その後、圧縮機室部前板８を上方にスライドさせ、ネジ１３で、圧縮機室部前板８の上端、下端を天板３及び、ユニットベース２にそれぞれ締結するが、圧縮機室部前板８を上方にスライドする際に、係止爪１０が係合穴１１から外れても、係合爪１０は、左右方向にバネ作用を有しているため、圧縮機室部前板８をネジ１３で締結した後に、係合爪１０を押し込むことにより係止爪１０が、係合穴１１に係合するため、圧縮機室部前板８の取り付けが不完全になることはない。
【００２５】
以上のように、本実施の形態によれば、一人でも簡単に、しかも確実に圧縮機室部前板８の取り付けができるものである。
【００２６】
（実施の形態２）
図５は、本発明の第２の実施の形態における空気調和機の室外ユニットの部分拡大図、図６は、同室外ユニットの圧縮機室部前板を下方にスライドした状態を示す部分斜視図である。なお、上記第１の実施の形態における空気調和機の室外ユニットと同一部分については同一符号を付してその説明を省略する。
【００２７】
本実施の形態は、図５、６に示すように、係合穴１１の開口形状を、係止爪１０の略Ｖ字状に折り返した部分の幅より小さい上部開口部１１ａと、同部分の幅より大きい下部開口部１１ｂを組み合わせた略Ｌ字状としたもので、圧縮機室部前板８を取り外す際、圧縮機室部前板８を下方にスライドしたときに、係止爪１０が、係止爪１０の幅より大きい下部開口部１１ｂから簡単に外れるため、圧縮機室部前板８を左右にずらす必要がなく、作業性が向上する。
【産業上の利用可能性】
【００２８】
以上のように、本発明に係る空気調和機の室外ユニットは、安価な構成で、見栄えを悪くすることもなく、一人で確実に、しかも簡単に圧縮機室部前板の取り付けができ、作業効率が非常に良いもので、空気調和機の室外ユニットに限らず、取り外し自在のカバーを外郭の一部に設けた給湯機など各種機器に適用できる。
【図面の簡単な説明】
【００２９】
【図１】本発明の実施の形態１における空気調和機の室外ユニットの分解斜視図
【図２】同室外ユニットの圧縮機室部前板の取り付け部の構成を示す部分斜視図
【図３】同室外ユニットの係止爪と係合穴が係合した状態を示す断面図
【図４】同室外ユニットの係止爪と係合穴が外れた状態を示す断面図
【図５】本発明の実施の形態２における空気調和機の室外ユニットの部分拡大図
【図６】同室外ユニットの圧縮機室部前板を下方にスライドした状態を示す部分斜視図
【図７】従来の空気調和機の室外ユニットの展開斜視図
【図８】（ａ）図７のＤ、Ｅ部の拡大横断面図（ｂ）図７のＤ、Ｅ部の拡大正面図
【図９】従来の他の例を示す空気調和機の室外ユニットの斜視図
【符号の説明】
【００３０】
１  室外ユニット
１ａ  外箱
３  天板
４  吹き出し口
５  吹き出し口部前板
６  圧縮機室
８  圧縮機室部前板
９  側板
１０  係止爪
１１  係合穴
１１ａ  上部開口部
１１ｂ  下部開口部
【図１】
2009144956.tif 000003
【図２】
2009144956.tif 000004
【図３】
2009144956.tif 000005
【図４】
2009144956.tif 000006
【図５】
2009144956.tif 000007
【図６】
2009144956.tif 000008
【図７】
2009144956.tif 000009
【図８】
2009144956.tif 000010
【図９】
2009144956.tif 000011